(57)【要約】【課題】組立て及び分解のいずれもが容易であり、また、屋内・屋外を問わずに設置でき、さらに移動することが可能な簡易喫煙ブースを提供する。【解決手段】室内又は屋外に設置可能な喫煙ブースであり、連結手段を有する複数枚のパネルを分解可能に該連結手段で連結し、内部空間が形成されるように囲繞して立設され、かつ下部に吸気間隙を有する側面パネルと、該側面パネルの一部に設けられた密閉可能な出入り口と、該側面パネルの上部を覆うように取付けられた天井部材と、該内部空間に設けられた分煙手段と、を含み、該天井部材には蛍光灯及び換気扇が設けられ、該側面パネルの下部にはキャスター部材が設けられることにより、移動可能とされるようにした。【選択図】  図１
0003135518.tif 000002
【実用新案登録請求の範囲】
【請求項１】
室内又は屋外に設置可能な喫煙ブースであり、
連結手段を有する複数枚のパネルを分解可能に該連結手段で連結し、内部空間が形成されるように囲繞して立設され、かつ下部に吸気間隙を有する側面パネルと、
該側面パネルの一部に設けられた密閉可能な出入り口と、
該側面パネルの上部を覆うように取付けられた天井部材と、
該内部空間に設けられた分煙手段と、
を含み、
該天井部材には蛍光灯及び換気扇が設けられ、
該側面パネルの下部にはキャスター部材が設けられることにより、
移動可能とされたことを特徴とする喫煙ブース。
【請求項２】
前記側面パネルを略円筒形に配置してなることを特徴とする請求項１記載の喫煙ブース。
【考案の詳細な説明】
【技術分野】
【０００１】
本考案は、分解組立が容易でありかつ移動可能な新規な喫煙ブースに関する。
【背景技術】
【０００２】
近年、様々な場所で分煙化が進んでおり、所定の喫煙所でのみ喫煙をすることができる場所が増加してきている。喫煙所としては、ただ単に灰皿を用意してあるものや、周囲を仕切板で囲ってその中心に灰皿や吸引式分煙装置を置いたものなど様々である。
【０００３】
また、例えば、清浄機能付ユニット型喫煙室や空気清浄機付喫煙所といったものも知られている（特許文献１及び特許文献２）。
【０００４】
しかしながら、最近では、極めて短期間の展示会やイベントも増えてきており、そのような会場で使用するには、短時間で組立て・分解することが要求される。また、会場は屋内の場合もあれば屋外の場合もあるため、屋内・屋外を問わずに使用することが可能な簡易喫煙所が求められていた。
【特許文献１】特開２００４−３４７３０９
【特許文献２】特開２００６−３０５８
【特許文献３】特開２００６−７０５５０
【考案の開示】
【考案が解決しようとする課題】
【０００５】
本考案は、上記した問題点に鑑みなされたもので、組立て及び分解のいずれもが容易であり、また、屋内・屋外を問わずに設置でき、さらに移動することが可能な簡易喫煙ブースを提供することを目的とする。
【課題を解決するための手段】
【０００６】
上記の目的を達成する為に、本考案の喫煙ブースは、
室内又は屋外に設置可能な喫煙ブースであり、
連結手段を有する複数枚のパネルを分解可能に該連結手段で連結し、内部空間が形成されるように囲繞して立設され、かつ下部に吸気間隙を有する側面パネルと、
該側面パネルの一部に設けられた密閉可能な出入り口と、
該側面パネルの上部を覆うように取付けられた天井部材と、
該内部空間に設けられた分煙手段と、
を含み、
該天井部材には蛍光灯及び換気扇が設けられ、
該側面パネルの下部にはキャスター部材が設けられることにより、
移動可能とされたことを特徴とする。
【０００７】
このように構成すれば、分解・組立てが容易にできるので、設置場所を選ぶことなく、様々な場所に設置可能となる。また、本考案に係る喫煙ブースは独立して移動可能に構成されているため、室内・屋外のいずれにも設置可能である。
【０００８】
前記喫煙ブースの形状としては、前記側面パネルを略円筒形に配置してなるのが好ましいが、側面パネルを多角形の筒型状に配置することなど可能である。
【考案の効果】
【０００９】
組立て及び分解のいずれもが容易であり、また、屋内・屋外を問わずに設置でき、さらに移動することが可能な簡易喫煙ブースを提供することができるという著大な効果を奏する。
【考案を実施するための最良の形態】
【００１０】
以下に本考案の実施の形態を添付図面に基づいて説明するが、本考案の技術思想から逸脱しない限りこれらの実施の形態について種々の変更又は変形が可能なことは言うまでもない。
【００１１】
図１は本考案に係る喫煙ブースの一つの実施の形態を示す側面斜視図、図２は図１の下部の要部拡大図、図３は図１の天井部分の要部拡大図、図４は図１の上部の内部構造を示す斜視図、図５は図１の上部の外部構造を示す斜視図、図６は図１の下部の内部構造を示す斜視図、図７は図１の正面図、図８は図１の上面図、図９は側面パネルの連結構造を示す拡大図、図１０は側面パネルの連結構造を示す模式図であって、（ａ）は非連結状態、（ｂ）連結状態を示す。
【００１２】
本考案に係る喫煙ブースの一つの実施の形態を図１〜図１０に基づいて説明する。図１〜図１０において、１０は本考案に係る喫煙ブースである。
【００１３】
図１によく示される如く、喫煙ブース１０は、連結手段を有する複数枚のパネル１４ａ〜１４ｄを分解可能に該連結手段で連結し、内部空間１６が形成されるように囲繞して立設され、かつ下部に吸気間隙２０を有する側面パネル１２と、該側面パネル１２の一部に設けられた密閉可能な出入り口２２（図示例ではドア）と、該側面パネル１２の上部を覆うように取付けられた天井部材２４と、該内部空間１６に設けられた分煙手段１３と、を含み、該天井部材２４には蛍光灯３０及び換気扇２８が設けられ、該側面パネル１２の下部にはキャスター部材２１が設けられることにより、移動可能に構成されている。なお、側面パネル１２や天井部材２４の材質には特別の限定はなく、例えばスチール、アルミなどで作製可能である。
【００１４】
この喫煙ブース１０は、室内又は屋外に設置可能であり、またキャスター部材２１が付いているので、自由に移動させることも可能である。
【００１５】
分煙手段１３としては、市場で販売されている分煙装置が使用可能である。
【００１６】
また、複数枚のパネル１４ａ〜１４ｄには透明窓１８ａ〜１８ｃが設けられており、喫煙ブース内が視認可能とされている。透明窓１８ａ〜１８ｃの材質としては特別の限定はなく、例えばガラスやアクリルパネルなどが使用可能である。
【００１７】
図２に喫煙ブース１０の下部の部分拡大図を示す。複数枚のパネル１４ａ〜１４ｄからなる側面パネル１２の下部には、図２に示される如く、喫煙ブース１０外部からの空気を吸い込むための吸気間隙２０が設けられている。この吸気間隙２０の床面Ｆからの高さは、吸気が行えればよいものであるから特別の限定はないが、例えば５ｃｍ〜５０ｃｍ程度が好適である。
【００１８】
図３に喫煙ブース１０の上部の部分拡大図を示す。図示されるごとく、天井部材２４には、吊り上げ用フック部材２６が設けられている。この吊り上げ用フック部材２６は、喫煙ブース１０をクレーンで吊り上げたりする際にワイヤーを引っ掛けたりするためのフックである。
【００１９】
図４に喫煙ブース１０の内部構造を示す。図示されるごとく、天井部材２４には、換気扇２８、蛍光灯３０及び人感センサー３４がそれぞれ設けられており、喫煙ブース１０に人が入ってくると感知して蛍光灯３０及び換気扇２８の電源が入る仕組みとされている。これら換気扇２８、蛍光灯３０及び人感センサー３４については、市場で販売されている公知の製品を使用すればよい。
【００２０】
図５に、喫煙ブース１０の上部の外部構造を示す。図示される如く、換気扇２８には、排気パイプ３６が接続されており、内部空間１６の空気は換気扇２８を通って外部へと排出される。このようにして、吸気間隙２０から吸い込まれた空気は、内部空間を通って換気扇２８から排出されるのである。すなわち、内部空間１６の空気は常に循環していることになり、喫煙ブース１０内は清浄な空気が常に保たれることになる。なお、必要に応じて、喫煙ブース１０内に空気清浄機などを適宜設置してもよい。
【００２１】
図６に、喫煙ブース１０の下部の内部構造を示す。図示されるが如く、喫煙ブース１０では、展示会やイベントの会場の床面Ｆにそのまま設置されるものである。符号３１は灰皿を示す。図示例では、灰皿３１を別に設置した例を示したが、分煙手段１３に灰皿が付いている場合には特に設ける必要はない。
【００２２】
図７及び８に、喫煙ブース１０を正面からみた図及び上面からみた図をそれぞれ示す。喫煙ブース１０の形状としては、特別の限定はないが、図示されるように、側面パネル１２を円筒形の一部を切り欠いたような略円筒形状に配置してなるのが好適である。また、上面からみたときの形が多角形となるように側面パネル１２を配置して、略多角形の筒型構造などにすることも可能である。
【００２３】
図９及び図１０に、複数枚のパネル１４ａ〜１４ｄを連結して側面パネル１２とするための連結構造を示す。パネル連結手段は、連結手段４４ａ，４４ｂとから構成されており、連結手段４４ａは、一方のパネル（図示例では１４ｂ）に設けられた軸心４７と該軸心４７を中心として回動自在に構成された起伏フック部材４６とを含むものである。連結手段４４ｂは、他方のパネル（図示例では１４ｃ）に設けられた係合棒４２と、その周囲に設けられた受け空間４０とを含むものである。
【００２４】
このように構成された連結手段４４ａ，４４ｂは、図１０によく示される如く、１４ｂの起伏フック部材４６が回動してパネル１４ｃに設けられた受け空間４０を介して係合棒４２に係合される。このようにして、パネル１４ｂと１４ｃが連結されるのである。なお、これら連結手段の構造については、例えば特許文献３に記載された公知のパネル連結手段を適用することができる。なお、天井部材２４については、側面パネル１２とネジ止めする構成とすればよい。
【００２５】
以上のように構成することで、組立て及び分解のいずれもが容易となるので場所を選ばずに簡単に設置及び撤去することができるという利点がある。また、屋内・屋外を問わずに設置できるので、イベントや展示会が屋内であっても屋外であっても使用可能である。さらに、本考案の喫煙ブースは、分解しなくても組立てたままの状態で移動させることができる。このことは、少しの距離を移動させたいときなどに極めて便利である。
【図面の簡単な説明】
【００２６】
【図１】本考案に係る喫煙ブースの一つの実施の形態を示す側面斜視図である。
【図２】図１の下部の要部拡大図である。
【図３】図１の天井部分の要部拡大図である。
【図４】図１の上部の内部構造を示す斜視図である。
【図５】図１の上部の外部構造を示す斜視図である。
【図６】図１の下部の内部構造を示す斜視図である。
【図７】図１の正面図である。
【図８】図１の上面図である。
【図９】側面パネルの連結構造を示す拡大図である。
【図１０】側面パネルの連結構造を示す模式図であって、（ａ）は非連結状態、（ｂ）連結状態を示す。
【符号の説明】
【００２７】
１０：喫煙ブース、１２：側面パネル、１３：分煙手段、１４ａ〜１４ｄ：パネル、１６：内部空間、１８ａ〜１８ｃ：透明窓、２０：吸気間隙、２１：キャスター部材、２２：出入り口、２４：天井部材、２６：吊り上げ用フック部材、２８：換気扇、３０：蛍光灯、３１：灰皿、３４：人感センサー、３６：排気パイプ、４０：受け空間、４２：係合棒、４４ａ，４４ｂ：連結手段、４６：起伏フック部材、４７：軸心、Ｆ：床面。
【図１】
0003135518.tif 000003
【図２】
0003135518.tif 000004
【図３】
0003135518.tif 000005
【図４】
0003135518.tif 000006
【図５】
0003135518.tif 000007
【図６】
0003135518.tif 000008
【図７】
0003135518.tif 000009
【図８】
0003135518.tif 000010
【図９】
0003135518.tif 000011
【図１０】
0003135518.tif 000012